(57)【要約】【課題】乗り場ドアの有効利用を図って、乗りかご内の映像又は広告を表示する。【解決手段】エレベータ乗り場２０に乗り場ドア１０が設置されている。乗り場ドア１０は一対の乗り場ドア本体１１と、各乗り場ドア本体１１、１１に組込まれた表示モニタ１２とを備えている。表示モニタ１２は乗りかご３１内の映像又は広告を表示するとともに、異常事態表示機能も有する。【選択図】図１
2015013749.tif 000002
【特許請求の範囲】
【請求項１】
エレベータ乗り場に設置されたエレベータの乗り場ドアにおいて、
乗り場ドア本体と、
乗り場ドア本体に組み込まれ、乗り場側を向く表示モニタとを備え、
表示モニタは乗りかご内の映像又は広告を表示することを特徴とするエレベータの乗り場ドア。
【請求項２】
表示モニタは乗りかご内又は建物内の異常を知らせる異常事態表示機能を有することを特徴とする請求項１記載のエレベータの乗り場ドア。
【請求項３】
表示モニタは乗りかご本体のうち、防犯窓用開口に組込まれていることを特徴とする請求項１または２記載のエレベータの乗り場ドア。
【請求項４】
昇降路内を移動する乗りかごと、
乗り場ドアと操作パネルとが設置された複数の乗り場と、
乗りかごの駆動機構と、
乗りかごの駆動機構を制御する制御機構とを備え、
制御機構は操作パネルからの乗り場呼び信号が一定時間出力されない場合に、不特定呼び信号を駆動機構に発生させて乗りかごを駆動することを特徴とするエレベータ。
【請求項５】
昇降路内を移動する乗りかごと、
乗り場ドアと操作パネルとが設置された複数の乗り場と、
乗りかごの駆動機構と、
乗りかごの駆動機構を制御する制御機構とを備え、
操作パネルは操作ボタンとインジケータとを有し、
制御機構は操作パネルからの乗り場呼び信号が一定時間出力されない場合に、操作パネルのインジケータに乗りかごが駆動している旨、表示させることを特徴とするエレベータ。
【請求項６】
乗り場に設置されたエレベータの乗り場ドアにおいて、
乗り場ドア本体と、
乗り場本体に設けられた防犯窓とを備え、
防犯窓に人物画像又は乗りかごの移動画像を表示する透明表示装置を組込んだことを特徴とするエレベータ乗り場ドア。
【請求項７】
透明表示装置は透明液晶表示モニタを有することを特徴とする請求項６記載のエレベータの乗り場ドア。
【請求項８】
透明表示装置は昇降路側に設置されたプロジェクタから出射される映像を表示する透明スクリーンからなることを特徴とする請求項６記載のエレベータの乗り場ドア。
【発明の詳細な説明】
【技術分野】
【０００１】
本発明はエレベータおよびエレベータの乗り場ドアに係り、とりわけ防犯効果を高めることができるエレベータおよびエレベータの乗り場ドアに関する。
【背景技術】
【０００２】
一般にエレベータ乗り場に設置されているエレベータの乗り場ドアは、乗り場ドア本体と、乗り場ドア本体に組込まれた防犯窓とを有している。そして乗りかご内の乗客は、この防犯窓を介して乗り場の様子を確認することができる。
【先行技術文献】
【特許文献】
【０００３】
【特許文献１】特開２０１０−０１３２４６号公報
【発明の概要】
【発明が解決しようとする課題】
【０００４】
上述のようにエレベータ乗り場に設置されているエレベータの乗り場ドアは防犯窓を有している。この場合、乗り場ドアの防犯窓を利用して、乗りかご内の映像あるいは広告等を表示することができれば、乗り場に別個独立の表示装置を設置する必要がなくなるため都合が良い。一方で防犯効果を高めることができるエレベータも望まれている。
【０００５】
本発明はこのような点を考慮してなされたものであり、乗り場ドアを利用して乗りかご内の映像あるいは広告等を表示することができ、防犯効果を高めることができるエレベータおよびエレベータの乗り場ドアを提供することを目的とする。
【課題を解決するための手段】
【０００６】
本願は、エレベータ乗り場に設置されたエレベータの乗り場ドアにおいて、乗り場ドア本体と、乗り場ドア本体に組み込まれ、乗り場側を向く表示モニタとを備え、表示モニタは乗りかご内の映像又は広告を表示することを特徴とするエレベータの乗り場ドアである。
【０００７】
本願は、表示モニタは乗りかご内又は建物内の異常を知らせる異常事態表示機能を有することを特徴とするエレベータの乗り場ドアである。
【０００８】
本願は、表示モニタは乗りかご本体のうち、防犯窓用開口に組込まれていることを特徴とするエレベータの乗り場ドアである。
【０００９】
本願は、昇降路内を移動する乗りかごと、乗り場ドアと操作パネルとが設置された複数の乗り場と、乗りかごの駆動機構と、乗りかごの駆動機構を制御する制御機構とを備え、制御機構は操作パネルからの乗り場呼び信号が一定時間出力されない場合に、不特定呼び信号を駆動機構に発生させて乗りかごを駆動することを特徴とするエレベータである。
【００１０】
本願は、昇降路内を移動する乗りかごと、乗り場ドアと操作パネルとが設置された複数の乗り場と、乗りかごの駆動機構と、乗りかごの駆動機構を制御する制御機構とを備え、操作パネルは操作ボタンとインジケータとを有し、制御機構は操作パネルからの乗り場呼び信号が一定時間出力されない場合に、操作パネルのインジケータに乗りかごが駆動している旨、表示させることを特徴とするエレベータである。
【００１１】
本願は、乗り場に設置されたエレベータの乗り場ドアにおいて、乗り場ドア本体と、乗り場本体に設けられた防犯窓とを備え、防犯窓に人物画像又は乗りかごの移動画像を表示する透明表示装置を組込んだことを特徴とするエレベータ乗り場ドアである。
【００１２】
本願は、透明表示装置は透明液晶表示モニタを有することを特徴とするエレベータの乗り場ドアである。
【００１３】
本願は、透明表示装置は昇降路側に設置されたプロジェクタから出射される映像を表示する透明スクリーンからなることを特徴とするエレベータの乗り場ドアである。
【図面の簡単な説明】
【００１４】
【図１】図１（ａ）は本発明の第１の実施の形態による乗り場ドアを示す図であり、図１（ｂ）は操作パネルの拡大図。
【図２】図２は本発明の第１の実施の形態による建物全体を示す図。
【図３】図３は本発明の第１の実施の形態によるエレベータを示す概略図。
【図４】図４は本発明の第２の実施の形態による乗り場ドアを示す図。
【図５】図５は本発明の第２の実施の形態による作用を示すフローチャート。
【図６】図６は本発明の第２の実施の形態の変形例による作用を示すフローチャート。
【図７】図７は本発明の第３の実施の形態による乗り場ドアを示す図。
【図８】図８は本発明の第３の実施の形態によるエレベータを示す概略図。
【図９】図９は本発明の第３の実施の形態による作用を示すフローチャート。
【発明を実施するための形態】
【００１５】
第１の実施の形態
次に本発明の実施の形態について説明する。図１乃至図３は本発明の第１の実施の形態を示す図である。
【００１６】
まず、図２および図３によりエレベータの概略について述べる。エレベータ３０は複数階のエレベータ乗り場２０を備えた建物２０Ａ内に設置されている（図２参照）。このようなエレベータ３０は建物２０Ａ内の昇降路３０Ａを昇降する乗りかご３１と、乗りかご３１を駆動する巻上機（駆動機構）３３と、乗りかご３１に主ロープ３４を介して連結されたつり合いおもり３２とを備え、乗りかご３１とつり合いおもり３２とを連結する主ロープ３４は巻上機３３に巻付けられている。また巻上機３３は制御機構３６により駆動制御される。
【００１７】
ところで、各エレベータ乗り場２０には乗り場ドア１０が設置され、この乗り場ドア１０は開閉自在となっており、この乗り場ドア１０を介して乗りかご３１内の利用者が乗り場２０側へ降りたり、乗り場２０から乗りかご３１内へ利用者が乗り込むことができる。
【００１８】
また、各乗り場２０には、乗り場ドア１０の側方に操作パネル１５が設置され、この操作パネル１５は乗り場呼び信号を出す操作ボタン１５ａと、乗りかごの現在位置を示すインジケータ１５ｂとを有している。
【００１９】
次に各乗り場２０に設置された乗り場ドア１０について図１により説明する。乗り場ドア１０は、横方向へ移動可能な一対の乗り場ドア本体１１と、各乗り場ドア本体１１に組込まれた表示モニタ１２とを有している。
【００２０】
この場合、表示モニタ１２は乗り場２０側を向くとともに、乗りかご３１内の映像又は広告等を表示するようになっている。
【００２１】
また表示モニタ１２は、乗りかご３１内又は建物２０Ａ内で異常事態が発生した際、この異常事態を乗り場２０側にいる乗客に知らせるようになっている。
【００２２】
ところで、各乗り場ドア本体１１には、乗りかご３１内から乗り場２０側の様子を確認するため防犯窓が設置されることがあり、上述した表示モニタ１２は防犯窓設置用の開口に組込まれている。
【００２３】
次にこのような構成からなる本実施の形態の作用について説明する。
【００２４】
まず乗り場２０にいる利用者が操作パネル１５の操作ボタン１５ａを押す。このことにより操作パネル１５から乗り場呼び信号が制御機構３６へ出力される。制御機構３６は操作パネル１５からの呼び信号を受けて巻上機３３を駆動し、乗りかご３１を当該乗り場２０まで移動させる。
【００２５】
この間、乗り場２０の乗り場ドア１０に組込まれた表示モニタ１２が乗りかご３１内の
映像又は広告等を表示する。乗りかご３１内の映像は、乗りかご３１内に設置されたカメラ（図示せず）により撮影された画像を用いることができ、カメラからの画像は制御機構３６側へ出力される。そして制御機構３６により、表示モニタ１２が制御され、制御機構３６からの画像を用いて表示モニタ１２に乗りかご３１内の映像を映すことができる。
【００２６】
また制御機構３６は広告等の画像を表示モニタ１２側へ送り、この表示モニタ１２により広告等の映像を表示することができる。
【００２７】
さらに建物２０Ａ内又は乗りかご３１内において火災等の異常事態が発生した場合、異常事態発生信号が火災報知器等の検知器（図示せず）から制御機構３６側へ出力される。
【００２８】
制御機構３６はこの異常事態発生信号を受けて、表示モニタ１２を駆動制御する。この際表示モニタ１２は、表示画像を点滅させたり、表示画面の色を赤、青、緑等交互に替えて乗り場２０にいる利用者に異常事態を知らせることができる。
【００２９】
以上のように本実施の形態によれば、乗り場ドア１０に組込まれた表示モニタ１２により、乗りかご３１内の映像又は広告等を表示することができる。また表示モニタ１２は建物２０Ａ内又は乗りかご３１内において異常事態が発生した場合、この異常事態を表示する異常事態表示機能をもつ。このため乗り場２０側に別個独立した表示装置を設置する必要がなく、乗り場ドア１０の有効利用を図ることができる。
【００３０】
第２の実施の形態
次に図４乃至図６により本発明の第２の実施の形態について説明する。
【００３１】
図４乃至図６に示す第２の実施の形態は、制御機構による制御方法が異なるのみであり、他の構成は図１乃至図３に示す第１の実施の形態と略同一である。
【００３２】
図４乃至図６に示す第２の実施の形態において、図１乃至図３に示す第１の実施の形態と同一部分については同一符号を付して詳細な説明は省略する。
【００３３】
エレベータ３０は建物２０Ａ内の昇降路３０Ａを昇降する乗りかご３１と、乗りかご３１を駆動する巻上機（駆動機構）３３と、乗りかご３１に主ロープ３４を介して連結されたつり合いおもり３２とを備え、乗りかご３１とつり合いおもり３２とを連結する主ロープ３４は巻上機３３に巻付けられている（図３参照）。また巻上機３３は制御機構３６により駆動制御される。
【００３４】
ところで、図４に示すように各エレベータ乗り場２０には乗り場ドア１０が設置され、この乗り場ドア１０は開閉自在となっており、この乗り場ドア１０を介して乗りかご３１内の利用者が乗り場２０側へ降りたり、乗り場２０から乗りかご３１内へ利用者が乗り込むことができる。
【００３５】
また、各乗り場２０には、乗り場ドア１０の側方に操作パネル１５が設置され、この操作パネル１５は乗り場呼び信号を出す操作ボタン１５ａと、乗りかごの現在位置を示すインジケータ１５ｂとを有している。
【００３６】
次に各乗り場２０に設置された乗り場ドア１０について図４により説明する。乗り場ドア１０は、横方向へ移動可能な一対の乗り場ドア本体１１を有している。
【００３７】
次にこのような構成からなる本実施の形態の作用について図５により説明する。
【００３８】
まずスタート時に乗り場２０にいる利用者が操作パネル１５の操作ボタン１５ａを押す。このことにより操作パネル１５から乗り場呼び信号が制御機構３６へ出力される。制御機構３６は操作パネル１５からの呼び信号を受けて巻上機３３を駆動し、乗りかご３１を当該乗り場２０まで移動させる。
【００３９】
次に乗り場２０に利用者がおらず、長時間、操作パネル１５の操作ボタン１５ａが押されていない場合、制御機構３６は内蔵されたタイマ（図示せず）により、一定時間が経過したか否かを判断する。
【００４０】
長時間、操作パネル１５の操作ボタン１５ａが押されない場合とは、夜間等、建物２０Ａ内にエレベータの利用者がほとんどいなくなる場合をいう。このような場合、エレベータの利用者が実際に少なくなっても、防犯対策上、エレベータの利用者がいるような状況を作ることが必要となる。
【００４１】
本実施の形態によれば、長時間、操作パネル１５の操作ボタン１５ａが押されていない場合、制御機構３６はタイマにより一定時間経過したと判断し、その後、不特定呼び信号を所望時間だけ出力し、巻上機３３を駆動する。
【００４２】
このように、制御機構３６が所望時間、不特定呼び信号を出力することにより、この時間巻上機３３により乗りかご３１が昇降する。
【００４３】
このため、建物２０Ａ内に入ってきた侵入者は、乗りかご３１が昇降していることを認識し、エレベータの利用者がいるものと考える。このようにして結局、侵入者を建物２０Ａ外方へ退出させることができる。このような作用が継続されて、その後制御作用が終了する。
【００４４】
このように本実施の形態によれば、長時間操作パネル１５の操作パネル１５ａが押されていない場合、制御機構３６により所望時間だけ不特定呼び信号を出力することができ、この時間、巻上機３３により乗りかご３１を昇降させることができる。このため建物２０Ａ内に入ってきた侵入者は、乗りかご３１が昇降していることを認識し、エレベータの利用者がいるものと考えて建物２０Ａ外方へ退出する。
【００４５】
次に本実施の形態の変形例について図６により説明する。
【００４６】
図６に示す変形例は制御機構３６の制御作用が異なるのみであり、他の構成は図４および図６に示す実施の形態と略同一である。図６において、まずスタート時に、乗り場２０にいる利用者が操作パネル１５の操作ボタン１５ａを押す。このことにより操作パネル１５から乗り場呼び信号が制御機構３６へ出力される。制御機構３６は操作パネル１５からの呼び信号を受けて巻上機３３を駆動し、乗りかご３１を当該乗り場２０まで移動させる。
【００４７】
次に乗り場２０に利用者がおらず、長時間、操作パネル１５の操作ボタン１５ａが押されていない場合、制御機構３６は内蔵されたタイマ（図示せず）により、一定時間が経過したか否かを判断する。
【００４８】
長時間、操作パネル１５の操作ボタン１５ａが押されない場合とは、夜間等、建物２０Ａ内にエレベータの利用者がほとんどいなくなる場合をいう。このような場合、エレベータの利用者が実際に少なくなっても、防犯対策上、エレベータの利用者がいるような状況を作ることが必要となる。
【００４９】
本実施の形態によれば、長時間、操作パネル１５の操作ボタン１５ａが押されていない場合、制御機構３６はタイマにより一定時間経過したと判断した後、インジゲータ１５ｂへ乗りかご移動信号を所望時間だけ出力する。
【００５０】
このように、制御機構３６が所望時間、インジゲータ１５ｂへ乗りかご移動信号を出力することにより、この時間インジゲータ１５ｂにより実際は移動していない乗りかご３１が移動しているように表示する。
【００５１】
このため、建物２０Ａ内に入ってきた侵入者は、乗り場２０のインジゲータ１５ｂをみて乗りかご３１が昇降しているものと錯覚し、エレベータの利用者がいるものと考える。このようにして結局、侵入者を建物２０Ａ外方へ退出させることができる。
【００５２】
このように本実施の形態によれば、長時間操作パネル１５の操作パネル１５ａが押されていない場合、制御機構３６により所望時間だけインジゲータ１５ｂに乗りかご移動信号を出力することができ、この時間インジゲータ１５ｂにより乗りかご３１が移動している旨表示される。このため建物２０Ａ内に入ってきた侵入者は、乗りかご３１が昇降していると錯覚し、エレベータの利用者がいるものと考えて建物２０Ａ外方へ退出する。
【００５３】
なお、制御機構３６によりインジゲータ１５ｂを制御して、インジゲータ１５ｂにより乗りかご３１が移動している旨表示するとともに、乗り場２０にスピーカ（図示せず）を設置して予め録音された乗りかごが移動する音声を流してもよい。このことにより、侵入者は実際は移動していない乗りかご３１が昇降しているものとより確実に錯覚することになる。
【００５４】
第３の実施の形態
次に図７乃至図９により本発明の第３の実施の形態について説明する。
【００５５】
図７乃至図９に示す第３の実施の形態において、図１乃至図３に示す第１の実施の形態と同一部分については同一符号を付して詳細な説明は省略する。
【００５６】
まず、図８によりエレベータの概略について述べる。エレベータ３０は複数階のエレベータ乗り場２０を備えた建物２０Ａ内に設置されている（図２参照）。このようなエレベータ３０は建物２０Ａ内の昇降路３０Ａを昇降する乗りかご３１と、乗りかご３１を駆動する巻上機（駆動機構）３３と、乗りかご３１に主ロープ３４を介して連結されたつり合いおもり３２とを備え、乗りかご３１とつり合いおもり３２とを連結する主ロープ３４は巻上機３３に巻付けられている。また巻上機３３は制御機構３６により駆動制御される。
【００５７】
ところで、各エレベータ乗り場２０には乗り場ドア１０が設置され、この乗り場ドア１０は開閉自在となっており、この乗り場ドア１０を介して乗りかご３１内の利用者が乗り場２０側へ降りたり、乗り場２０から乗りかご３１内へ利用者が乗り込むことができる。
【００５８】
また、各乗り場２０には、乗り場ドア１０の側方に操作パネル１５が設置され、この操作パネル１５は乗り場呼び信号を出す操作ボタン１５ａと、乗りかごの現在位置を示すインジケータ１５ｂとを有している。
【００５９】
次に各乗り場２０に設置された乗り場ドア１０について図７により説明する。乗り場ドア１０は、横方向へ移動可能な一対の乗り場ドア本体１１と、各乗り場ドア本体１１に設けられた防犯窓１７または１８とを有している。防犯窓１７または１８のうち一方の乗り場ドア本体１１の防犯窓１８には透明液晶表示モニタ１９が組込まれている。なお、他方の乗り場ドア本体１１の防犯窓１７には、透明液晶表示モニタ１９は組込まれていない。
【００６０】
この場合、透明液晶表示モニタ１９は乗り場２０側を向くとともに、人物画像又は乗りかごの移動画像を表示するようになっている。
【００６１】
ところで、各乗り場ドア本体１１には、上述のように、防犯窓１７または１８が設けられているが、この防犯窓１７または１８は乗りかご３１内から乗り場２０側の様子を確認するためのものである。
【００６２】
また一方の乗り場ドア本体１１に設けられた防犯窓１８には透明液晶表示モニタ１９が組込まれているが、透明液晶表示モニタ１９に人物画像又は乗りかごの移動画像を表示しない場合、乗りかご３１内から透明液晶表示モニタ１９を介して乗り場２０側を透視することができる。
【００６３】
次にこのような構成からなる本実施の形態の作用について図９により説明する。
【００６４】
まずスタート時に乗り場２０にいる利用者が操作パネル１５の操作ボタン１５ａを押す。このことにより操作パネル１５から乗り場呼び信号が制御機構３６へ出力される。制御機構３６は操作パネル１５からの呼び信号を受けて巻上機３３を駆動し、乗りかご３１を当該乗り場２０まで移動させる。
【００６５】
次に乗り場２０に利用者がおらず、長時間、操作パネル１５の操作ボタン１５ａが押されていない場合、制御機構３６は内蔵されたタイマ（図示せず）により、一定時間が経過したか否かを判断する。
【００６６】
長時間、操作パネル１５の操作ボタン１５ａが押されない場合とは、夜間等、建物２０Ａ内にエレベータの利用者がほとんどいなくなる場合をいう。このような場合、エレベータの利用者が実際に少なくなっても、防犯対策上、エレベータの利用者がいるような状況を作ることが必要となる。
【００６７】
本実施の形態によれば、長時間、操作パネル１５の操作ボタン１５ａが押されていない場合、制御機構３６はタイマにより一定時間経過したと判断する。その後、図示しない侵入者検出器からの侵入者検出信号を受けて制御機構３６は透明液晶表示モニタ１９を作動させる。
【００６８】
このように、制御機構３６が透明液晶表示モニタ１９を作動させ、透明液晶表示モニタ１９は予め取得した人物画像又は乗りかごの移動画像を表示する。
【００６９】
このため、建物２０Ａ内に入ってきた侵入者は、透明液晶表示モニタ１９に表示された人物画像又は乗りかごの移動画像をみて、乗りかご３１が昇降しているものと錯覚する。このようにして結局、侵入者を建物２０Ａ外方へ退出させることができる。このような作用が継続されて、その後制御作用が終了する。
【００７０】
このように本実施の形態によれば、長時間操作パネル１５の操作パネル１５ａが押されていない場合であって、かつ侵入者が侵入してきた場合、制御機構３６により透明液晶表示モニタ１９が作動してこの透明液晶表示モニタ１９により人物画像又は乗りかごの移動画像を表示することができる。このため建物２０Ａ内に入ってきた侵入者は、乗りかご３１が昇降しているものと錯覚し、エレベータの利用者がいるものと考えて建物２０Ａ外方へ退出する。
【００７１】
また透明液晶表示モニタ１９が人物画像又は乗りかごの移動画像を表示しない場合、透明液晶表示モニタ１９を介して乗りかご３１内から乗り場２０側を透視することができ、この透明液晶表示モニタ１９は防犯窓として機能する。
【００７２】
なお、透明液晶表示モニタ１９は透明表示装置として機能するが、この透明液晶表示モニタ１９の代わりに昇降機３０Ａ側にプロジェクタ１９Ｂを設け、一方の乗り場ドア本体１１の防犯窓１８にプロジェクタ１９Ｂから出射される画像を表示する透明スクリーン１９Ａを設けてもよい。制御機構３６はプロジェクタ１９Ｂを作動させ、プロジェクタ１９Ｂから画像を出射して、透明スクリーン１９Ａに人物画像又は乗りかごの移動画像を表示することができる。
【００７３】
またプロジェクタ１９Ｂが作動しない場合、透明スクリーン１９Ａは防犯窓として機能する。
【００７４】
さらにまた、制御機構３６は、透明液晶表示モニタ１９又は透明スクリーン１９Ａに人物画像又は乗りかごの移動画像を表示するとともに、第２の実施の形態で述べたように、操作パネル１５のインジケータ１５ｂを作動させて実際は移動していない乗りかご３１が移動している旨表示してもよい。
【００７５】
あるいはまた、乗り場２０に設置されたスピーカ（図示せず）から実際は移動していない乗りかご３１の音声を流してもよい。
【符号の説明】
【００７６】
１０  乗り場ドア
１１  乗り場ドア本体
１２  表示モニタ
１５  操作パネル
１５ａ  操作ボタン
１５ｂ  インジケータ
１７、１８  防犯窓
１９  透明液晶表示モニタ
１９Ａ  透明スクリーン
１９Ｂ  プロジェクタ
２０  乗り場
３０  エレベータ
３１  乗りかご
３２  つり合いおもり
３３  巻上機
３４  主ロープ
３６  制御機構  
【図１】
2015013749.tif 000003
【図２】
2015013749.tif 000004
【図３】
2015013749.tif 000005
【図４】
2015013749.tif 000006
【図５】
2015013749.tif 000007
【図６】
2015013749.tif 000008
【図７】
2015013749.tif 000009
【図８】
2015013749.tif 000010
【図９】
2015013749.tif 000011